(57)【要約】【課題】新規・既設の商品陳列用シングルタイプの商品掛け具のやや上方に屈曲した先端部が人体の目、顔、頭等に危険なために、シングル商品掛け具に支持棒を取付け、その先端部に安全プロテクターを取り付けて人体を保護することを特徴とする。【解決手段】商品陳列用の取付けバー等に取付ける取付片（２）についている既設のシングルタイプの商品掛け具（１）の先端部がやや上方に屈曲している危険な先端部分に安全プロテクター（１０）で保護するため、取付片の上部に台座（３）を設け，リブ（６）のついた台座に各種形状の棒材を差込み支持棒（５）を設ける。支持棒とシングルタイプの掛け具との間に垂れ防止兼押し具（８）、あるいはヒンジ付又は回転式垂れ防止具（９）を設け、支持棒の先端にプライス表示板（７）を取り付けた事を特徴とする。【選択図】  図１
2006231004.tif 000002
【特許請求の範囲】
【請求項１】
新規、既設のシングルタイプの商品掛け具をダブルタイプの商品掛け具に改造することにより、人体の頭、顔、目等を危険から予防する商品掛け具と安全プロテクター取付け補助具。
【請求項２】
既設のシングルタイプの商品掛け具の取付片に台座を設け、台座に支持棒を取り付け、シングルタイプの商品掛け具をダブルタイプの商品掛け具に改造して、その掛け具の先端に安全プロテクターを取付け人体を危険から守る請求項１記載の商品掛け具と安全プロテクター取付け補助具。
【請求項３】
シングルタイプの商品掛け具の取付片に取り付ける台座又は支持棒は色々の形状がある請求項１〜２記載の商品掛け具と安全プロテクター取付け補助具。
【請求項４】
シングルタイプの商品掛け具において支持棒の垂れ防止兼商品押し具を設けた請求項１〜３記載の商品掛け具と安全プロエクター取付け補助具。
【請求項５】
シングルタイプの商品掛け具において支持棒にヒンジ付き垂れ防止具を取付け、ヒンジもしくは回転機能を利用して垂れ防止機能とヒンジもしくは回転機能で商品の出し入れが自由に出来る機能を持った請求項１〜４記載の商品掛け具と安全プロテクター取付け補助具。
【請求項６】
長いタイプのシングルタイプの商品掛け具にも支持棒を交換することにより対応できる請求項１〜５記載の商品掛け具と安全プロテクター取付け補助具。
【発明の詳細な説明】
【技術分野】
【０００１】  本発明は、店頭に商品を陳列するため商品掛け具であり、該商品掛け具の先端の危険から人体を守るための安全プロテクターを取付ける安全具に関するものである。
【背景技術】
【０００２】  従来、デパート・スーパーストア・ホームセンター等の店頭に多くの商品を陳列するために商品陳列用に商品掛け具が使用されている。商品掛け具にはシングルタイプ・ダブルタイプ等があり、その商品掛け具の掛け棒の先端部はやや上方に屈曲させた構造になっている。その危険な屈曲した先端部は目、顔、頭に危険であるが、その危険な先端部を守り、保護する安全具は少ない、例えば特開２００１−１６９８７６、特開２００３−３２５２７８等はある。ダブルタイプで目を保護する商品掛け具は特開２００１−１６９８７６がある。
【発明の開示】
【発明が解決しようとする課題】
【０００３】  それには次のような問題点があった。
（イ）商品陳列用棒状の掛け棒の先端部がやや上方に屈曲しているシングルタイプの商品掛け具の掛け棒先端部は目、顔、頭には危険であり、何時事故が起きても、不思議ではない。
（ロ）商品陳列用の掛け棒の先端部を保護する安全プロテクターは少ない。
（ロ）目、顔、頭の安全と商品を前方におす構造にしたシングルタイプの商品掛け具は無い。
（ハ）子供、高齢者等の目、顔、頭を守る安全プロテクターは見当たらない。
（ニ）長いタイプのシングル商品掛け具において、ヒンジ付きの垂れ防止で、商品が出し入れ自由な掛け具は無い。
本発明は、以上の問題点を解決するためのものである。
【問題を解決するための手段】
【０００４】  商品陳列用の取付けバー・格子等に取付片のついたシングルタイプの商品掛け具（１）を設ける。シングルタイプの商品掛け具の棒状の先端部がやや上方に屈曲している。シングルタイプの商品掛け具（１）の取付片側の取付片（２）の上部に取外しできる合成樹脂製の台座（３）を設け、その台座（３）の上部中心に回転止めの溝を設けた穴部を（４）を設ける、その穴部（４）に合成樹脂製の成形した支持棒（５）を設ける。台座（３）と支持棒（５）の形状は複数ある。支持棒（５）の下部にはリブ（６）と支持棒先端部にプライス表示板（７）を取り付けられるように直角に上部に折曲げている構造である。又掛け具（１）と支持棒（５）との間に垂れ防止兼商品押し具（８）を設け、支持棒（５）の垂れ防止と、商品の押し具として使用する。そして、支持棒（５）の先端側のリブ（６）の部分に安全プロテクター（９）を取付け、掛け具（１）のやや上方に屈曲した先端を覆いカバーして、目、顔、頭を危険から守る。又、この垂れ防止兼商品押し具（８）に代わり垂れ防止機能だけを持ったヒンジつき垂れ防止具（９）を設けても良く、これは商品の出入れが自由に出来るヒンジ機能，又は回転機能を持った垂れ防止具である。
【発明の効果】
【０００５】  本発明は、新規あるいは既設の各種シングルタイプの商品掛け具に取付け可能であり、合成樹脂成形で製作するため、軽量であり且つ安価に製作できるし、支持棒の長さも数種類交換するのみで長短の掛け棒にも対応できる、そして、安全プロテクターが子供、高齢者等の目、顔、頭等を危険から守ることができ、安全性が飛躍的に向上し、又陳列した商品を前方に押す押し具取付け、支持棒の垂れも防止できる効果が期待でき、あわせて押し具と垂れ防止に蝶番機能を設けて商品の出し入れが自由にできる機能も取り付けられることもでき更に効果が期待ができる。
【発明を実施するための最良の形態】
【０００６】  以下、本発明の実施の形態を説明する。
（イ）新規又は既設の各種取付片（２）付きシングルタイプの商品掛け具（１）に合成樹脂製の台座（３）を設ける。
（ロ）取付片（２）の上部の台座（３）の穴部（４）に合成樹脂製の支持棒（５）を取り付ける。
（ハ）直角に上に曲った支持棒（５）の先端部にプライス表示板（７）を取り付ける。
（ホ）シングルタイプの商品掛け具（１）と支持棒（５）に垂れ防止兼商品押し具（８）又はヒンジ付きあるいは回転機能付き垂れ防止具（９）を設ける。
（ホ）支持棒（５）の先端部に安全プロテクター（１０）を設ける。
【図面の簡単な説明】
【０００７】
【図１】  本発明の正面図
【図２】  本発明の平面図
【図３】  本発明の左側面図
【図４】  本発明の他の正面図
【図５】  本発明の他の平面図
【図６】  本発明の他の左側面図
【図７】  本発明のヒンジ付き垂れ防止具の正面図
【図８】  本発明のヒンジ付き垂れ防止具の側面図
【符号の説明】
【０００８】  １  シングルタイプの商品掛け具
２  取付片
３  台座
４  穴部
５  支持棒
６  リブ
７  プライス表示板取付部
８  垂れ防止兼商品押し具
９  ヒンジ付き垂れ防止具及び蝶番式垂れ防止具
１０  安全プロテクター
【図１】
2006231004.tif 000003
【図２】
2006231004.tif 000004
【図３】
2006231004.tif 000005
【図４】
2006231004.tif 000006
【図５】
2006231004.tif 000007
【図６】
2006231004.tif 000008
【図７】
2006231004.tif 000009
【図８】
2006231004.tif 000010